(57)【要約】【課題】ケーブルの断線を防止し、機械の稼働率を高くする。【解決手段】移動部材３０に固定された第２の電子機器用中継箱１０から引き出された第１のケーブル５は移動部材３０に固定されたセンサ３１，３２に電気的に接続されている。ケーブル３６を介して制御装置に接続され固定部材に固定された第１の電子機用中継箱１０と第２の電子機器用中継箱１０とを電気的に接続する第２のケーブル７は可撓性を有する。【選択図】  図５
2012106425.tif 000002
【特許請求の範囲】
【請求項１】
移動部材と、
前記移動部材に固定された電子機器と、
固定部材に固定された第１の電子機器用中継箱とを備えた印刷機の電子機器用中継箱において、
前記電子機器から引き出される第１のケーブルが電気的に接続される第１のコネクタと、
前記第１の電子機器用中継箱から引き出される第２のケーブルが電気的に接続される第２のコネクタと、
互いに電気的に接続された前記第１および第２のコネクタを支持し、前記移動部材に固定された第２の電子機器用中継箱とを備え、
前記第２のケーブルが可撓性を有することを特徴とする印刷機の電子機器用中継箱。
【請求項２】
前記第２の電子機器用中継箱を開閉自在で一面が開口された二つのケースによって形成し、これら二つのケースのそれぞれに前記第１および第２のコネクタを弾持する弾性変形可能なホルダーを収容したことを特徴とする請求項１記載の印刷機の電子機器用中継箱。
【発明の詳細な説明】
【技術分野】
【０００１】
本発明は、移動部材に固定された電子機器から引き出されたケーブルを中継する印刷機の電子機器用中継箱に関するものである。
【背景技術】
【０００２】
例えば、印刷機に装備された安全カバーや版交換用のローダ等の移動に使用されるエアシリンダのアクチュエータとしてのピストンには、センサ等の電子機器が固定されており、この電子機器から引き出されたケーブルは、エアシリンダの近傍に固定された電子機器用中継箱に中継されてから制御装置に電気的に接続されている。
【発明の概要】
【発明が解決しようとする課題】
【０００３】
上述したような従来の印刷機の電子機器用中継箱においては、電子機器から引き出されたケーブルが直接電子機器用中継箱に接続された構造であるため、ピストンが移動する度にケーブルも移動するため、ケーブルに引張りや屈曲あるいはねじれが発生する。これら引張りや屈曲あるいはねじれが繰り返されると、ケーブルが短期間で断線することがあり、その修理に時間がかかるため機械の稼働率が低下するという問題があった。
【０００４】
本発明は上記した従来の問題に鑑みなされたものであり、その目的とするところは、ケーブルの断線を防止し、機械の稼働率を高くすることにある。
【課題を解決するための手段】
【０００５】
この目的を達成するために、本発明は、移動部材と、前記移動部材に固定された電子機器と、固定部材に固定された第１の電子機器用中継箱とを備えた印刷機の電子機器用中継箱において、前記電子機器から引き出される第１のケーブルが電気的に接続される第１のコネクタと、前記第１の電子機器用中継箱から引き出される第２のケーブルが電気的に接続される第２のコネクタと、互いに電気的に接続された前記第１および第２のコネクタを支持し、前記移動部材に固定された第２の電子機器用中継箱とを備え、前記第２のケーブルが可撓性を有するものである。
【０００６】
本発明は、前記発明において、前記第２の電子機器用中継箱を開閉自在で一面が開口された二つのケースによって形成し、これら二つのケースのそれぞれに前記第１および第２のコネクタを弾持する弾性変形可能なホルダーを収容したものである。
【発明の効果】
【０００７】
本発明によれば、電子機器から引き出される第１のケーブルは、移動部材と一体的に移動するため、移動部材の移動によっても断線するようなことがない。一方、移動部材と第１の電子機器用中継箱との間に配線された第２のケーブルが可撓性を有するので、移動部材の移動によって、第２のケーブルに引張りや屈曲あるいはねじれが発生しても、第２のケーブルが断線しずらいため、その修理の間隔を長くすることができるから機械の稼働率を高くすることができる。
【０００８】
前記発明のうちの一つの発明によれば、二つのケースを開き、二つのホルダー間にコネクタを収容し、二つのケースを閉じれば、コネクタがケース内に固定できるため、コネクタの固定作業が容易になる。固定されたコネクタは、弾性変形可能なホルダーによって弾持されるため、コネクタやコネクタから引き出されるケーブルにストレスを与えることがないばかりかコネクタやケーブルを外力から保護することができる。また、二つのケース内に弾性変形可能なホルダーを収容したことにより、ケースの密閉性が向上するので、ケース内への粉塵の侵入を規制することができる。
【図面の簡単な説明】
【０００９】
【図１】本発明に係る印刷機の電子機器用中継箱を開いた状態を示す斜視図である。
【図２】本発明に係る印刷機の電子機器用中継箱にコネクタを収容した状態を示す平面図である。
【図３】本発明に係る印刷機の電子機器用中継箱の背面図である。
【図４】本発明に係る印刷機の電子機器用中継箱に収容するコネクタの斜視図である。
【図５】本発明に係る印刷機の電子機器用中継箱を使用している状態を示す斜視図である。
【発明を実施するための形態】
【００１０】
以下、本発明の実施の形態を図１ないし図５に基づいて説明する。
【００１１】
図４に全体を符号１で示すものは、従来から広く知られているコネクタであって、第１のコネクタとしてのプラグ２と、このプラグ２が着脱自在に嵌合される凹部３が設けられ、プラグ２が嵌合されることにより互いに導通する第２のコネクタとしてのレセプタクル４とによって構成されている。プラグ２に電気的に接続される第１のケーブル５は、後述する電子機器としてのセンサから引き出される。
【００１２】
レセプタクル４の外周部には鍔６が全周にわたって突設されており、このレセプタクル４から導出される複数本の第２のケーブル７はチューブ８によって束ねられている。この第２のケーブル７およびチューブ８は共に可撓性を有する材料によって形成されている。プラグ２をレセプタクル４の凹部３に嵌合することにより、これらプラグ２およびレセプタクル４を介して第１および第２のケーブル５，７が電気的に接続される。
【００１３】
図１に全体を符号１０で示すものは、本発明の特徴である第２の電子機器用中継箱であって、上ケース１１および下ケース１２と、これら上・下ケース１１，１２内に収容されるホルダー１３，１４とによって構成されている。上ケース１１は、上面部１５と背面部１６とのそれぞれに開口された箱状を呈しており、一方の側面部に起伏自在に支持され先端部に爪１７ａを有する係合片１７が一体に突設されている。
【００１４】
下ケース１２は、上ケース１１と同じ形状に形成され、上面部１８と背面部１９とのそれぞれに開口された箱状を呈しており、一方の側面部に上記した係合片１７の爪１７ａが係合する凸条体２０が一体に突設されている。これら上・下ケース１１，１２は、上・下ケース１１，１２が開閉自在となるように互いに隣接する側面部間が可撓性を有するヒンジ２２によって連結されている。すなわち、互いの上面部１５，１８を対向させるようにヒンジ２２を折り曲げることにより、係合片１７の爪１７ａが凸条体２０に係合され、背面部１６，１９のみが開口されたケース２３が形成される。
【００１５】
ホルダー１３，１４は共に同じ形状を有しており、全体が弾性変形可能な材料であるスポンジによって偏平な直方体に形成され、中央部に直方体状の凹部１３ａ，１４ａが設けられている。ホルダー１３，１４の高さＨ２は、上ケース１１および下ケース１２の高さＨ１よりもやや大きく形成されている。これらホルダー１３，１４は、上ケース１１と下ケース１２とのそれぞれに嵌合され収容される。
【００１６】
このような構成において、図４に示すように、第１のケーブル５の一端部が電気的に接続されたプラグ２をレセプタクル４の凹部３に嵌合することにより、第１および第２のケーブル５，７が電気的に接続されたコネクタ１を、図２に示すように、下ケース１２のホルダー１４の凹部１４ａに収容する。収容されたコネクタ１は鍔６がホルダー１４に弾持されることにより下ケース１２に固定され、第１のケーブル５は凹部１４ａ内で折り返され第２のケーブル７とともに下ケース１２の背面部１９から引き出される。
【００１７】
次いで、上ケース１１の上面部１５を下ケース１２の上面部１８に対向させるようにヒンジ２２を折り曲げ、係合片１７の爪１７ａを凸条体２０に係合させることにより、背面部１６，１９のみが開口されたケース２３を形成する。この状態で、第１および第２のケーブル５，７は、図３に示すように二つのホルダー１３，１４の互いの対接面の間から上・下ケース１１，１２の背面側に引き出される。
【００１８】
このとき、ホルダー１３，１４の高さＨ２が上ケース１１および下ケース１２の高さＨ１よりもやや大きく形成されていることにより、ホルダー１３，１４が弾性変形した状態で互いに対接するため、上・下ケース１１，１２の密閉性がよくなり、塵埃の侵入を規制することができる。
【００１９】
このように、二つの上・下ケース１１，１２を開き、二つのホルダー１３，１４間にコネクタ１を収容し、二つの上・下ケース１１，１２を閉じれば、コネクタ１がケース２３内に固定できるため、コネクタ１の固定作業が容易になる。固定されたコネクタ１は、弾性変形可能なホルダー１３，１４によって弾持されるため、コネクタ１やコネクタ１から引き出される第１および第２のケーブル５，７にストレスを与えることがないばかりかコネクタ１や第１および第２のケーブル５，７を外力から保護することができる。
【００２０】
第１および第２のケーブル５，７が上・下ケース１１，１２の背面側に引き出された第２の電子機器用中継箱１０を、図５に示すように矢印Ａ−Ｂ方向に移動する移動部材３０の上面に固定する。第２の電子機器用中継箱１０から引き出された第１のケーブル５の他端部は、移動部材３０の側面に固定された電子機器としてのセンサ３１，３２に電気的に接続されている。なお、図５においては、第２の電子機器用中継箱１０から引き出された多数本の第１のケーブル５のうち、二本のみを図示し、他の第１のケーブル５は説明の便宜上図示を省略している。一方、第２のケーブル７は、移動部材３０の近傍にブラケット３４を介して印刷機の固定部材（図示せず）に固定され、ケーブル３６を介して制御装置（図示せず）に接続された第１の電子機器用中継箱３３に導入される。
【００２１】
このように、センサ３１，３２から引き出された第１のケーブル５は、移動部材３０と一体的に移動するため、移動部材３０の移動によっても断線するようなことがない。一方、移動部材３０と第１の電子機器用中継箱３３との間に配線された第２のケーブル７は可撓性を有しているので、移動部材３０の移動によって、第２のケーブル７に引張りや屈曲あるいはねじれが発生しても、第２のケーブル７が断線しずらいため、仮に断線したとしても修理の間隔を長くすることができるから機械の稼働率を高くすることができる。
【符号の説明】
【００２２】
１…コネクタ、２…プラグ（第１のコネクタ）、４…レセプタクル（第２のコネクタ）、５…第１のケーブル、７…第２のケーブル、１０…第２の電子機器用中継箱、１１…上ケース、１２…下ケース、１３，１４…ホルダー、１７…係合片、２０…凸条体、３０…移動部材、３３…第１の電子機器用中継箱
【図１】
2012106425.tif 000003
【図２】
2012106425.tif 000004
【図３】
2012106425.tif 000005
【図４】
2012106425.tif 000006
【図５】
2012106425.tif 000007